(57)【特許請求の範囲】
【請求項１】
リンク（２，３，４；３１，３２，３３，３４，３５）を備えたリストバンドにおいて、リンク間の関節式連結手段として機能する複数のバー（５，４０）と、前記バーを前記リンク内に保持する手段とを含むリストバンドであって、前記バー（５）は少なくとも一端部（１３）に、下部肩部（７）および円錐台形上部（１２）を有するヘッド（１０）の手前の円筒形溝（９）を含み、前記端部（１３）は、リンク（２，３１）内に形成されたハウジングにはまり、そのハウジングは、リンクの外壁（１６）に開口した第１穴（１５）を有し、第１穴（１５）に続いて第１穴より小径の第２穴（１７）が形成されてそれらで肩部（８）を形成しており、スリーブ（１８）が、前記円筒形溝（９）と前記第２穴（１７）の内壁との間に収容され、スリーブ（１８）は、カラー（１９）と一体化してカラー付きスリーブ（６）を形成しており、前記カラー（１９）は、前記第１（１５）および第２（１７）穴によって形成された前記肩部（８）と前記ヘッド（１０）の前記下部肩部（７）との間に挟まれて、前記バー（５）をリンク（２，３１）内に軸方向に保持しており、前記カラー付きスリーブ（６）はその全長にわたってスリット（２０）を有することを特徴とするリストバンド。
【請求項２】
カラー付きスリーブ（６）は、前記バー（５）の両端部（１３、２４）に配置されていることを特徴とする請求項１記載のリストバンド。
【請求項３】
カラー付きスリーブ（６）は、前記バー（４０）の第１端部（１３）に配置され、前記バーの第２端部（２１）は、リンク（４２）の肩部（２３）に当接するヘッド（２２）を有することを特徴とする請求項１記載のリストバンド。
【請求項４】
リンクは、セラミック材料、硬質合金、ＰＣＤダイヤモンド（多結晶性ダイヤモンド）またはＣＶＤダイヤモンドのうちから選択された硬質材料製であることを特徴とする請求項１記載のリストバンド。
【請求項５】
請求項２に記載のリストバンドを組み立てる方法であって、
バー（５）の第１端部（１３）に第１カラー付きスリーブ（６）を取り付けて、前記バーの円筒形溝（９）にはまるまで、バーのヘッドを越えるように前記カラー付きスリーブを押し進め、前記ヘッドを越えて前記円筒形溝にはまる時、前記カラー付きスリーブのスリット（２１）によって前記カラー付きスリーブが拡がることができる段階と、
次に、前記バー（５）をその自由端部（２４）から、少なくとも２つの組み合わされたリンク（２，３）の整列した穴（１７，２５）にはめ込む段階と、
第２カラー付きスリーブ（６）を前記バー（５）の第２端部（２４）に、第１カラー付きスリーブに関連して説明したようにして取り付けて、前記第１および第２カラー付きスリーブ（６）のカラー（１９）の各々が、リンク（２）に設けられた第１（１５）および第２（１７）穴によって形成された肩部（８）とヘッド（１０）の下部肩部（７）との間にはさまれて、バー（５）をリンク（２）内に軸方向に保持させる段階とを含む方法。
【発明の詳細な説明】
【０００１】
【発明の属する技術分野】
本発明は、リンクを備えて、リンク間の関節式連結手段として機能する複数のバーと、バーをリンク内に保持する手段とを含むリストバンドに関する。
【０００２】
【従来の技術】
リンクを備えて、リンク間の関節式連結手段として機能するバーを用いた様々な形式のリストバンドが周知であり、これらのバーをリンク内に保持する方法を示す多数の実施例も周知である。
【０００３】
金属リンクを使用する時、リンクに設けられた穴に押し込まれるバーを使用することが多い。リンクがセラミックスなどの脆く壊れやすい材料製である場合、この方法は不可能である。実際に、バーを押し込むことによって、脆弱な材料が粉砕することは理解されるであろう。
【０００４】
この問題を回避するために、すべての機械的応力を引き受ける鋼製の内側チェーンを含み、内側チェーンに張り付けられるか、ねじ付けられた装飾リンクでこの内側チェーンを覆うようにしたリストバンドが提案されている（たとえば、スイス特許第６００８１５号を参照されたい）。この方法には、複雑であると共に高コストであるという欠点がある。
【０００５】
【発明が解決しようとする課題】
上記提案の方法の欠点を克服するために、ヨーロッパ特許第０９５０３６４号は、少なくとも一端部にスリットを有するバーを設けて、この端部をその端部のスリットに貫入したブロック部材と協働するように構成し、それによってバーをリンクに固定することを提案している。この方法は、リストバンドの関節式連結が誤って外れることを防止するために、リンクに溶接、接着または打ち込まれるブロック部材を必要とするという欠点を有する。
【０００６】
【課題を解決するための手段】
上記欠点は、本発明の教示を実施して、バーおよびリンクのそれぞれに形成された保持手段に当接するように構成、配置されたカラー付きスリーブによって、各バーをその少なくとも一端部でリンクに軸方向に保持することで解決される。
【０００７】
本発明はまた、以下に詳細に記載する、リストバンドを構成する様々な部品を組み立てる方法に関しても独創的である。
【０００８】
本発明の特徴および利点は、添付の図面を参照しながら非制限的な例示として本発明の幾つかの好適な実施形態を示す以下の説明から明らかになるであろう。
【０００９】
【発明の実施の形態】
本発明の第１実施形態が図１に示されている。この場合のリストバンドは、１列のリンク５０だけを含み、このリンク列の３つのリンク２、３および４だけが図示されている。図１に示されているように、たとえばリンク２および３のような２つの連続したリンクは、バー５によって順次関節式に連結されている。このバー５は、整合した３つの穴、すなわち、リンク３の穴２５と整合したリンク２の穴１７に収容されている。図１は、バー５をリンク２内に軸方向に保持する手段を示しており、これは、本発明の特徴によれば、バーの各端部１３および２４に配置されたカラー付きスリーブ６（図１に断面図で、図２に斜視図で示されている）からなる。このカラー付きスリーブ６は、バー５およびリンク２のそれぞれに形成された保持手段７および８に当接するように構成、配置されており、これらの保持手段の１つの実施形態を次に説明する。
【００１０】
図１および図２に示されているように、バー５の端部１３および２４の各々で、ヘッド１０の手前に円筒形溝９が設けられている。ヘッド１０は、下部肩部７と円錐台形上部１２とを含む。バー５の各端部１３および２４は、リンク２内に形成されたハウジング１４にはめ込まれる。このハウジング１４は、リンク２の壁１６で開口した第１穴１５を有し、この第１穴１５に続いて第１穴より小径の第２穴１７が設けられている。図１に、また拡大図である図４におそらくはさらにわかりやすく示されているように、第１穴１５と第２穴１７で肩部８を形成している。同図面はまた、カラー付きスリーブ６が、バー５の円筒形溝９と第２穴１７の内壁との間に収容されていることを示しており、このスリーブ６は円筒形胴部１８およびカラー１９と一体成形されている。最後になるが、図１および図４は、カラー１９が第１穴１５および第２穴１７によって形成された肩部８とヘッド１０の下部肩部７との間に挟まれて、バー５を図１のリンク２内または図４のリンク３１内において軸方向に保持していることを示している。カラー付きスリーブ６の全長にわたってスリット２０が設けられており、これの機能については、以下にリストバンドの組み付け方法を記載する時に説明する。
【００１１】
以上の説明からわかるように、カラー付きスリーブ６は、バー５の各端部１３および２４に配置されて、バー５を動けないようにしている。
【００１２】
図１では、これらの端部１３および２４が同一リンク２の両端部に収容されており、同バー５がリンク３の穴２５に挿通されて、リンク２をリンク３に関節式連結している。このことは、リンク３および４にも当てはまる。
【００１３】
次に図４を参照すると、バー５の端部１３および２４の各々にカラー付きスリーブ６がはめ付けられていることがわかるであろう。端部はそれぞれリストバンドの第１および第２側部リンク３１および３５に収容されており、リストバンドにはさらに、１アセンブリピッチ当たり３つの中央リンク３２、３３および３４が設けられており、側部リンク３１および３５と接触している中央リンク３２および３４は半ピッチだけずれて、５列のリンク、すなわち、側部リンクの２列２６および３０と中央リンクの３列２７、２８および２９とを含むリストバンドを形成している。図４に示されているように、リストバンドの端部は、たとえば留め具用の連結部材として機能する一体部材のリンク３６を含むことができる。
【００１４】
図３は、カラー付きスリーブ６をバーの第１端部だけに配置することができることを示している。これは、第１端部１３に本発明に従ったカラー付きスリーブがはめ付けられ、第２端部２１がリンク４２の第２肩部２３に当接するヘッド２２を有する図３のバー４０の場合である。第２端部２１のこの構造は、すでに上記引用のヨーロッパ特許第０９５９３６４号に記載されている。
【００１５】
図３を参照すると、カラー付きスリーブを各端部に設けたバー５と、一端部だけにカラー付きスリーブを設けたバー４０とが交互に配置されていることがわかり、この配置の変更例として、バー４０を交互に逆に配置することができる。さらに、図３のリストバンドは、５列のリンクを備えていることから、図４のものと同様に製造されることに注意されたい。しかし、バー５および４０を交互配置することはもちろん、１列５０のリンクだけを含む図１のリストバンドにも適用することができ、このバーの交互配置は、実質的にリストバンドの側部の美的外観の改善が命じるものである。
【００１６】
カラー付きスリーブによってバーを軸方向に保持するという着想はとりわけ、セラミックス、硬質合金、ＰＣＤダイヤモンド（多結晶性ダイヤモンド）またはＣＶＤダイヤモンドなどの脆弱および／または硬質材料内へ押し進めることによってバーを保持する場合、破損や粉砕さえも生じる可能性がある過大な機械的応力がリンクに加わることを避けたいという要望から生れた。以上の説明から明らかなように、リンクは、ねじ切りなどの特別な機械加工をまったく必要とせず、開始材料としてセラミック粉末を使用し、これを型に詰め込んでブランクを形成してから、それを焼結することによって粉末を確実に凝集させた焼結セラミック材で好都合に製造される。
【００１７】
本記載の最後に、リストバンド、たとえば図１に示されているリストバンドを組み立てる方法を説明する。
【００１８】
最初に、端部１３および２４の各々にカラー付きスリーブ６を収容できるように構成されたバー５（図２を参照）を準備する。このバーの第１端部１３にカラー付きスリーブを取り付けて、ヘッド１０を越えるようにこのカラー付きスリーブを押し進める。ヘッド１０の直径がカラー付きスリーブの内孔より大きいため、それの全長にわたってスリット２０が形成されており、これによって、ヘッドを越える時にカラー付きスリーブが拡がることができる。ヘッド１０の円錐台形の上部１２によって、カラー付きスリーブ６がヘッドを越えてはまりやすくなっていることに注意されたい。最後になるが、カラー付きスリーブ６は、ヘッド１０を越えた後、バー５の円筒形溝９にはまる。円筒形溝９はカラー付きスリーブ６の内孔よりわずかに大径であるため、一方を他方の上に確実に固定することができる。
【００１９】
それから、バー５をその自由端部２４から、２つの組み合わされたリンク２および３の整列した穴１７および２５にはめ込む。
【００２０】
最後に、第２カラー付きスリーブ６をバー５の第２端部２４に、バーの第１端部１３に取り付けられる第１カラー付きスリーブに関連して説明したようにして取り付ける。この組付けが完了すると、第１および第２カラー付きスリーブ６のカラー１９の各々が、リンク２に設けられた第１および第２穴１５および１７によって形成された肩部８とヘッド１０の下部肩部７との間にはさまれ、これによってバー５がリンク２内に軸方向に保持される。
【００２１】
同じ組み付け方法を実施して、たとえば、図４に示されているリストバンドのような、数列のリンクを有するリストバンドを組み立てることができる。この場合、バー５の第１端部１３が第１側部リンク３１内に第１カラー付きスリーブによって保持され、バー５の第２端部２４が第２側部リンク３５内に第２カラー付きスリーブによって保持される一方、同バー５は中央リンク３２、３３および３４に挿通されている。
【００２２】
本構成に含まれる部品数および組み立て方法の両方に関連して、本発明のカラー付きスリーブを使用したリストバンドは、単一列のリンクまたは数列のリンクのいずれを含む場合でも、コスト的に非常に好都合である。
【００２３】
しかし、本発明のカラー付きスリーブ６をスリーブ１８のない単なるカラー１９に縮小できるのではないかと思うかもしれない。本出願人が行った試行で、単純なワッシャではリンク内でのバーの十分な保持および適当なセンタリングが得られず、したがってその残っているワッシャが急速に劣化し、最終的にリストバンドの関節式連結が外れてしまうことがわかった。
【図面の簡単な説明】
【図１】本発明の第１実施形態の断面図である。
【図２】図１に使用されているバーの斜視図であり、本発明の主題のカラー付きスリーブも斜視図で示されている。
【図３】本発明の第２実施形態の断面図である。
【図４】本発明の第３実施形態の断面図である。
【符号の説明】
５  バー
６  カラー付きスリーブ
【図１】
0004837848.tif 000002
【図２】
0004837848.tif 000003
【図３】
0004837848.tif 000004
【図４】
0004837848.tif 000005